(57)【要約】      （修正有）【課題】道路上のあらゆる箇所で起こる火災に対応して火災による二次被害を防止することができる防音パネル及び防音パネルの作製方法を提供する。【解決手段】火災の発生時に防音パネル１０の中空部３から消火器等の消火手段４を取り出し、その消火手段４が可搬式となされ、その消火手段４を火災の発生地点に持ち運んで消火作業を行うことが可能であるから、道路上のあらゆる箇所で火災が発生しても対応して消火することができ、火災による二次被害を防止することができる。【選択図】図１
2005179940.tif 000002
【特許請求の範囲】
【請求項１】
前面板と背面板との間に中空部を備え、前面板と背面板のいずれか少なくとも一方が遮音板となされた防音パネルであって、前記中空部に可搬型の消火手段が取出可能に収納されていることを特徴とする防音パネル。
【請求項２】
前面板と背面板との間に中空部を備えた防音パネルの、前面板の一部分又は大部分を切り欠いて開閉可能な扉を取り付け、該扉から取出可能に前記中空部に可搬型の消火手段を収納することを特徴とする防音パネルの作製方法。
【発明の詳細な説明】
【技術分野】
【０００１】
本発明は、道路周辺に設置され、道路から発生する騒音の外部への漏洩を防止する防音壁用の防音パネル及び防音パネルの作製方法に関するものである。
【背景技術】
【０００２】
道路において、交通事故発生時に火災の発生等の二次被害を抑制するために、防音壁を構成する防音パネルは不燃性の材料を用いて形成される場合が多いが、交通事故を起こした車両の内装や、積み荷が可燃性である場合があり、その様な場合には迅速な消火が求められる。特許文献１において、前面に多数の貫通孔を設けてなる壁体の内部に吸音層及び消火媒体を介在させてなり、自動車の炎上により収容袋が融けるか破れるかで内容物である消火媒体が流出して消火作用を行い、二次被害をおさえる防音壁が開示されている。
【０００３】
【特許文献１】特開昭４９−１２８５１２号公報
【発明の開示】
【発明が解決しようとする課題】
【０００４】
しかしながら、特許文献１に記載の如き防音壁では、交通事故による火災が発生した至近距離に消火媒体が内蔵された防音壁が設置されていなければ消火作用が得られず、道路中央での衝突事故や、消火媒体が内蔵された防音壁から離れた場所で起こる火災等には対応できず、二次被害の発生を抑止できないものであった。
【０００５】
本発明は上記の如き課題に鑑みてなされたものであり、道路上のあらゆる箇所で起こる火災に対応して火災による二次被害を防止することができる防音パネル及び防音パネルの作製方法を提供せんとするものである。
【課題を解決するための手段】
【０００６】
上記目的を達成するため、本発明は以下のような構成としている。すなわち、本発明に係わる防音パネルは、前面板と背面板との間に中空部を備え、前面板と背面板のいずれか少なくとも一方が遮音板となされた防音パネルであって、前記中空部に可搬型の消火手段が取出可能に収納されていることを特徴とするものである。
【０００７】
また本発明に係わる防音パネルの作製方法は、前面板と背面板との間に中空部を備えた防音パネルの、前面板の一部分又は大部分を切り欠いて開閉可能な扉を取り付け、該扉から取出可能に前記中空部に可搬型の消火手段を収納することを特徴とするものである。
【発明の効果】
【０００８】
請求項１に記載の本発明に係わる防音パネルによれば、火災の発生時に防音パネルの中空部から消火手段を取り出し、その消火手段が可搬式となされ、その消火手段を火災の発生地点に持ち運んで消火作業を行うことが可能であるから、道路上のあらゆる箇所で火災が発生しても対応して消火することができ、火災による二次被害を防止することができる。
【０００９】
また請求項２に記載の本発明に係わる防音パネルの作製方法によれば、前面板の一部分又は大部分を切り欠いて消火手段を収納することで火災による二次災害を防止できる防音パネルを得ることができるが、前面板を切り欠くことで作製が可能であるから、防音パネルが新設のものである場合はもとより、既設のものであっても後から消火手段を備えさせて火災による二次災害を防止できる防音パネルとすることができる。
【発明を実施するための最良の形態】
【００１０】
本発明に係わる最良の実施の形態について、図面に基づき以下に具体的に説明する。
図１は、本発明に係わる防音パネルの、実施の一形態を示す説明図である。まずイ）に示す如く、防音パネル１０は極一般的に用いられる吸音性能を有する防音パネルと略同一の外形となされており、前面板１と背面板２とを備え、前面板１には切削されたスリットの上下を前後方向に折り曲げることで内部に通じる通孔１１が設けられている。防音パネル１０は極一般的なものと略同一の外形となされていることで、通常の防音壁に設置されても違和感のないようになされている。
【００１１】
極一般的な防音パネル１０は前面板１と背面板２との間に吸音材が配置され、背面板２により遮音が、吸音材により吸音が行われるが、ロ）に示す如く本実施形態においては、前面板１と背面板２との間には吸音材は配置されず中空部３となされ、中空部３に消火手段である消火器４が収納される。遮音は背面板２により行われる。消火器４は可搬型のもので、前面板１は予めその大部分が切り欠かれて中空部３が前面側に開口されており、その開口部分を塞ぐように扉１２が設けられている。扉１２は上辺がヒンジ１３により前面板１に回動可能に固定され、下辺はパッチン錠１４により前面板１に固定されることで、通常時はパッチン錠１４により扉を閉鎖し、火災発生時にパッチン錠１４を解除して扉１２をヒンジ１３を軸に上方に回動させることで中空部３が開口され、消火器４が取り出し可能となる。
【００１２】
図２は、本発明に係わる防音パネルの作製方法の、実施の一形態を示す説明図である。まずイ）に示す如く、極一般的に用いられる「統一型」の防音パネルＰの、前面板１のみを点線の位置で大部分を切り欠いて、内蔵されている吸音材を取り外す。吸音材を取り外すと、前面板１と背面板２の間には中空部３が設けられる。中空部３は前面板１の大部分が切り欠かれたことで大きく開口されるが、その開口を塞ぐように、上辺にヒンジ１３、下辺にパッチン錠１４が取り付けられた扉１２をヒンジ１３及びパッチン錠１４を用いて前面板１に取り付ける。
【００１３】
取り付けられた扉１２は、パッチン錠１４を解除することヒンジ１３を軸に上方へ回動可能となされ、扉１２を解放して中空部３に消火手段である消火器４を収納し、扉１２を下方に回動させてパッチン錠１４を閉鎖することで、防音パネルＰの外観をほとんど変化させず、違和感なく消火機能を具備させた防音パネル１０を得ることができる。
【００１４】
前面板１と背面板２とは、いずれか少なくとも一方が遮音性を具備していればよく、それにより防音パネルとして機能することができる。消火手段は可搬型のものであれば特に消火器４に限定されるものではなく、消火栓のホース、水や消火剤を充填した袋等であってもよい。中空部３は前面板１と背面板２との間に消火手段が収納可能な程度の空間があればよく、例えば消火器４を収納した残りの空間には吸音材を充填して吸音性を具備させてもよい。また前面板に取り付けられる扉１２は、消火手段が取り出し可能な程度の開口に応じた大きさのものであればよく、スリットによる開孔１１の一列分を扉としたり、スリットによる開孔１１が設けられていない箇所に設けてもよい。
【図面の簡単な説明】
【００１５】
【図１】本発明に係わる防音パネルの、実施の一形態を示す説明図である。
【図２】本発明に係わる防音パネルの作製方法の、実施の一形態を示す説明図である。
【符号の説明】
【００１６】
１    前面板
１２  扉
２    背面板
３    中空部
４    消火器（消火手段）
１０  防音パネル
Ｐ    統一型防音パネル
【図１】
2005179940.tif 000003
【図２】
2005179940.tif 000004